(57)【特許請求の範囲】
【請求項１】
側面に割り溝が設けられた二つの連接板を具え、そのうち一つの連接板の後方にサポートフレームが固定され、サポートフレーム中に軸孔を軸心とし回転可能なロックブロックが置き入れられ、一つのハンドルの偏心軸がサポートフレームを貫通してロックブロックの軸孔に挿入された後、該ロックブロックに径方向に割り溝に進入可能なボルトが連接され、該ボルトのもう一端にナットが設けられた快速クランプ装置において、
該ロックブロックに階段が設けられ、該階段の平面が該ロックブロックの軸孔部分に位置し、該偏心軸に径方向に抜きピンが取り付けられ、該抜きピンが偏心軸に伴い回転してボルト部分に至り並びに開放状態時に階段の平面に接触することを特徴とする、快速クランプ装置。
【請求項２】
前記ロックブロックが矩形を呈し、且つロックブロックと被挟持部品の連接板の間に該ロックブロックをもとの位置に回復させられるバネ片が設けられたことを特徴とする、請求項１に記載の快速クランプ装置。
【請求項３】
前記ボルトのナットが錐形円弧面を呈し、一つの連接板の割り溝底部に突出端が設けられ、該突出端が該ナットに接触可能であることを特徴とする、請求項１に記載の快速クランプ装置。
【請求項４】
前記偏心軸を回転させるハンドルが溝状を呈することを特徴とする、請求項１に記載の快速クランプ装置。
【発明の詳細な説明】
【０００１】
【発明の属する技術分野】
本発明は二つの板材を挟み付けて連接する快速クランプ装置に関する。
【０００２】
【従来の技術】
周知の、二つの板材を挟み付けて連接する構造の応用方式はいろいろあり、例えば折り畳み自転車のフレームの折り畳みジョイントは、その二つの連接板の一側がちょう番で連接され、もう一側が挟み付け手段により挟み付けられている。また、二つのフランジを具えた管は、二つのフランジが多点で挟み付けられて連接されることにより、管の連接が完成する。
【０００３】
周知の折り畳みジョイントは図１に示されるように、二つの連接板１の一側に割り溝４が設けられ、そのうち一つの連接板１の後ろのサポートフレーム２にボルト５が設けられ、ボルトヒンジ軸３の回転によりボルト５を径方向に連接板１の一側の割り溝４に対して出し入れでき、該ボルト５のヒンジ軸３は偏心軸とされ、該ボルト５のもう一端にナット５ａが螺接されている。ボルト５が割り溝４内に進入する時、ナット５ａは完全には締めつける必要がなく、ハンドル３ａを回してボルトヒンジ軸３を回転させればボルト５を締めつけることができる。このようにただハンドル３ａを回すだけで、二つの連接板１を締めつけたり分離させることができる。この装置は快速クランプ装置と称される。
【０００４】
実際には、クランプ装置をゆるめた後、ナット５ａの距離は連接板１の外側面に非常に近く、それはボルト５のボルトヒンジ軸３を中心とした回転と径方向の退出を妨害する可能性があり、即ち、締めつけ装置を緩めた後に、これら二つの連接板１が完全に分離できず、折り畳みジョイントに対していうと、折り畳み不能となり、再度ナット５ａをゆるめてボルト５を割り溝４より退出させねば折り畳みできなくなった。もし、二つの連接板１を相互に挟み付けるなら、即ち再度ナット５ａを締め、且つナット５ａを適当な位置に調整しなければ、偏心軸３を回してボルト５を締めることができず、このようなクランプ装置は実際の使用上非常に不便であり、ゆえに改善の必要があった。
【０００５】
【発明が解決しようとする課題】
本発明の目的は、ハンドルを回すだけの単一動作で完全に開く或いは締めつけが行える快速クランプ装置を提供することにある。
【０００６】
【課題を解決するための手段】
請求項１の発明は、側面に割り溝が設けられた二つの連接板を具え、そのうち一つの連接板の後方にサポートフレームが固定され、サポートフレーム中に軸孔を軸心とし回転可能なロックブロックが置き入れられ、一つのハンドルの偏心軸がサポートフレームを貫通してロックブロックの軸孔に挿入された後、該ロックブロックに径方向に割り溝に進入可能なボルトが連接され、該ボルトのもう一端にナットが設けられた快速クランプ装置において、
該ロックブロックに階段が設けられ、該階段の平面が該ロックブロックの軸孔部分に位置し、該偏心軸に径方向に抜きピンが取り付けられ、該抜きピンが偏心軸に伴い回転してボルト部分に至り並びに開放状態時に階段の平面に接触することを特徴とする、快速クランプ装置としている。
請求項２の発明は、前記ロックブロックが矩形を呈し、且つロックブロックと被挟持部品の連接板の間に該ロックブロックをもとの位置に回復させられるバネ片が設けられたことを特徴とする、請求項１に記載の快速クランプ装置としている。
請求項３の発明は、前記ボルトのナットが錐形円弧面を呈し、一つの連接板の割り溝底部に突出端が設けられ、該突出端が該ナットに接触可能であることを特徴とする、請求項１に記載の快速クランプ装置としている。
請求項４の発明は、前記偏心軸を回転させるハンドルが溝状を呈することを特徴とする、請求項１に記載の快速クランプ装置としている。
【０００７】
【発明の実施の形態】
本発明の快速クランプ装置は、側面に割り溝が設けられた二つの連接板を具え、そのうち一つの連接板の後方にサポートフレームが固定され、サポートフレーム中に軸孔を軸心とし回転可能なロックブロックが置き入れられ、ロックブロックに径方向に割り溝に進入可能なボルトが連接され、該ボルトのもう一端にナットが設けられ、ロックブロックに階段が設けられ、該階段の平面が該ロックブロックの軸孔部分に位置し、ハンドルの偏心軸がサポートフレームを貫通して該ロックブロックの軸孔中に挿入され、該偏心軸に径方向に抜きピンが設けられ、該抜きピンが偏心軸に伴い回転してボルト部分に至り並びに開放状態時に階段の平面に接触する。
【０００８】
本発明の快速クランプ装置は、ハンドルを回して偏心軸を回転させれば、締めつけ或いは開放を行えることが周知の機能と同じである。しかし、本発明の偏心軸には抜きピンが設けられ、ゆえにハンドルを回して該快速クランプ装置を開放状態となす時に、該抜きピンがすでにロックブロックの階段に接触し、持続してハンドルを回すことにより抜きピンがロックブロックに伝動して回転させることによりボルトを連接板の割り溝より退出させ、完全にクランプ装置を開くことができる。
【０００９】
本発明の快速クランプ装置はただハンドルを回すだけの単一動作により、開放とボルトの割り溝からの退出の動作を完成することができ、ゆえに実際の操作上、非常に便利である。
【００１０】
【実施例】
本発明の第１実施例の構造は図２から図７に示される。これら二つの連接板１の一側面にそれぞれ割り溝４が設けられ、そのうち一つの連接板１の後方に二つのサポートフレーム２が固定されている。これらサポートフレーム２中に一つの軸孔６ａを軸心として回転するロックブロック６が置かれ、一つのハンドル３ａの偏心軸３がこれらサポートフレーム２を貫通してロックブロック６の軸孔６ａ中に挿入され、該ロックブロック６に径方向に割り溝４に進入可能なボルト５が連接され、該ボルト５のもう一端にナット５ａが設けられ、該ロックブロック６に階段６ｂが設けられ、階段６ｂの平面がロックブロック６の軸孔６ａ部分に位置する。該偏心軸３に径方向の抜きピン８が取り付けられ、該抜きピン８が偏心軸３の回転に伴い回転してボルト５部分に至り、並びに開放状態時に階段６ｂの平面に接触する。
【００１１】
ロックブロック６の随意の回転を防止するために、並びにボルト５の締めつけ時の確実な自動位置決めを達成するために、該ロックブロック６は矩形を呈し、且つロックブロック６と被締結部品の連接板１の間にロックブロック６を回復させられるバネ片７が設けられている。
【００１２】
図４には締めつけ状態の断面が示されている。図４の矢印方向にハンドル３ａを回して偏心軸を回転させボルト５をゆるめた後、抜きピン８が階段６ｂの平面部分にあってロックブロック６に対して加力し並びにそれを回転させ、それと共にボルト５を駆動して径方向に割り溝４より退出させ、挟み付けられていた連接板１が分離する。これは図５と図６に示されるとおりである。
【００１３】
バネ片７のロックブロック６に対する加力により、ロックブロック６が回復する。これは図６に示されるとおりである。ボルト５のナット５ａは錐状円弧面を呈し、一つの連接板１の割り溝４底部に突出端１ａが設けられ、該突出端１ａが折り畳みジョイントの二つの連接板１を合わせる時に用いられ、該連接板１の突出端１ａがナット５ａに接触する時、径方向分力がボルト５を径方向に割り溝４より退出させる。これは図７に示されるとおりであり、ボルト５を抜いてから連接板１を開く必要がない。
【００１４】
二つの連接板１を合わせた後、バネ片７の弾力作用により、ボルト５が自動的に割り溝４中に進入し、ただハンドル３ａを回すだけで締めつけを完成できる。そのうちハンドル３ａの構造設計は図９に示されるように溝状を呈する。
【００１５】
本発明の第２実施例は図８に示される。この実施例では被連接部品が管材とされ、該割り溝４は連接板１の中央部分に位置し、サポートフレーム２、ロックブロック６及び偏心軸３がいずれも該連接板１の中央部分に設けられて、クランプ装置が管材の内部に位置する。その他は第１実施例と同じであるため重複した説明は行わない。
【００１６】
【発明の効果】
本発明は、ハンドルを回すだけの単一動作で完全に開く或いは締めつけが行える快速クランプ装置であり、進歩性と実用性を有している。なお上述の実施例は本発明を説明するために例示されたもので本発明の請求範囲を限定するものではなく、本発明に基づきなしうる細部の修飾或いは改変はいずれも本発明の請求範囲に属する。
【図面の簡単な説明】
【図１】周知の快速クランプ装置の断面図である。
【図２】本発明の第１実施例の斜視図である。
【図３】本発明の第１実施例の分解斜視図である。
【図４】本発明の第１実施例の断面図である。
【図５】本発明の第１実施例の動作表示図である。
【図６】本発明の第１実施例の動作表示図である。
【図７】本発明の第１実施例の動作表示図である。
【図８】本発明の第２実施例の使用状態断面表示図である。
【図９】本発明の第１実施例のハンドルと偏心軸の分解斜視図である。
【符号の説明】
１  連接板                                  １ａ  突出端
２  サポートフレーム                        ３  偏心軸
３ａ  ハンドル                              ４  割り溝
５  ボルト                                  ５ａ  ナット
６  ロックブロック                          ６ａ  軸孔
６ｂ  階段                                  ７  バネ片
８  抜きピン
【図１】
0003545665.tif 000002
【図２】
0003545665.tif 000003
【図３】
0003545665.tif 000004
【図４】
0003545665.tif 000005
【図５】
0003545665.tif 000006
【図６】
0003545665.tif 000007
【図７】
0003545665.tif 000008
【図８】
0003545665.tif 000009
【図９】
0003545665.tif 000010